(57)【特許請求の範囲】
【請求項１】
複数枚の静止画像を記憶する第１の記憶手段と、
前記第１の記憶手段が記憶している複数枚の静止画像の中から、代表画像を抽出し、次に残りの静止画像の中から直前に抽出した静止画像に対する変化量が最小である静止画像を抽出する処理を繰り返し、ここで抽出した順番に静止画像を並べる静止画像並び替え手段と、
前記静止画像並び替え手段によって並び替えた複数枚の静止画像を、この並び替えた順番のコマ画像からなる動画像とみなし、動画像の圧縮を行う圧縮手段と、
前記圧縮手段が圧縮した動画像ファイルを記憶する第２の記憶手段と、を備えた画像管理装置。
【請求項２】
前記静止画像並び替え手段は、未抽出の撮像画像毎に、直前に抽出した撮像画像との差分画像を生成し、この差分画像に基づいて変化量が最小である撮像画像を判断する手段である、請求項１に記載の画像管理装置。
【請求項３】
撮像領域を撮像する撮像手段と、
撮像タイミングであることが指示されたときに、前記撮像手段が撮像した撮像画像を静止画像で取り込む撮像画像取込手段と、を備え、
前記第１の記憶手段は、前記撮像画像取込手段が取り込んだ撮像画像を記憶する手段である、請求項１または２に記載の画像管理装置。
【請求項４】
前記撮像画像取込手段は、撮像タイミングであることが指示されたときに、前記撮像手段が撮像した複数枚の撮像画像を取り込み、ここで取り込んだ複数枚の撮像画像の中から保存する撮像画像を選択する手段である、請求項３に記載の画像管理装置。
【請求項５】
請求項３、または４に記載の画像管理装置を備え、利用者の操作に応じて各種取引を処理する自動取引処理機であって、
前記画像処理装置の前記撮像手段は、撮像領域を前記自動取引処理機本体正面に設定し、
前記撮像タイミングとして、前記自動取引処理機本体に対して媒体を利用者に投入させるタイミング、および前記自動取引処理機本体から放出する媒体を利用者に抜き取らせるタイミングを、前記画像処理装置に指示する撮像タイミング指示手段を備えている、自動取引処理機。
【請求項６】
前記画像処理装置の前記圧縮手段は、取引毎に、その取引において前記撮像手段が撮像した複数枚の撮像画像を前記静止画像並び替え手段が並び替えた順番のコマ画像からなる動画像ファイルとみなした動画像の圧縮を行う、請求項５に記載の自動取引処理機。
【発明の詳細な説明】
【技術分野】
【０００１】
この発明は、複数枚の静止画像を保存管理する画像管理装置、および自動取引処理機に関する。
【背景技術】
【０００２】
従来、金融機関では、自動取引処理装置（所謂、ＡＴＭ）での不正な取引に対するセキュリティを確保するために、処理した取引毎に、利用者や、取引に使用されたキャッシュカード（以下、単にカードと言う。）のエンボスをカメラで撮像し、その撮像画像を一定期間保存している（特許文献１参照）。この特許文献１には、カメラでカードのエンボスおよびカード表面全体を撮像した撮像画像を保存する構成や、利用者を撮像した撮像画像とカードの撮像画像と、を合成した合成画像を保存する構成が記載されている。このように、自動取引処理装置で行われた不正な取引で使用されたカードや、この取引を行った利用者の撮像画像を残すことで、自動取引処理装置での不正な取引に対するセキュリティを確保している。
【０００３】
最近では、セキュリティの向上の面から、１取引における利用者の撮像画像の枚数を増加させたり、撮像画像を保存する期間を延長する傾向にある。このため、金融機関では、保存する撮像画像のデータ量が大きく増加している。保存する撮像画像のデータ量を抑える提案が特許文献２でなされている。この特許文献２には、カード表面全体の撮像画像を保存するのではなく、撮像画像からカードのエンボス部分を切り出して保存する構成が記載されている。
【特許文献１】特開平５−２８２５２７号公報
【特許文献２】特開２００１−１４３１２７号公報
【発明の開示】
【発明が解決しようとする課題】
【０００４】
しかしながら、特許文献２の構成は、撮像画像から切り出した一部（エンボス部分）の画像を保存することによって、保存する撮像画像のデータ量を抑えるものである。言い換えれば、撮像画像において、不要と判断する部分を切り捨てることによって、保存する撮像画像のデータ量を抑えている。このため、保存している撮像画像から得られる情報量が低下しており、結果的にセキュリティの低下を招くという問題がある。
【０００５】
この発明の目的は、静止画像の一部を切り捨てることなく保存し、且つ保存する静止画像のデータ量を抑えることができる画像管理装置を提供することにある。
また、この画像管理装置を備える自動取引処理機を提供することにある。
【課題を解決するための手段】
【０００６】
この発明の画像管理装置は、上記課題を解決し、その目的を達するために、以下の構成を備えている。
【０００７】
静止画像並び替え手段が、まず第１の記憶手段が記憶している複数枚の静止画像の中から、代表画像を抽出する。次に、静止画像並び替え手段が、第１の記憶手段が記憶している残りの静止画像の中から直前に抽出した静止画像に対する変化量が最小である静止画像を抽出する処理を繰り返す。すなわち、代表画像、この代表画像に対して変化量が最小である撮像画像Ａ、この撮像画像Ａに対して変化量が最小である撮像画像Ｂ、と順番に抽出していく。そして、静止画像並び替え手段が、ここで抽出した順番に静止画像を並べ替える。また、圧縮手段が、静止画像並び替え手段によって並び替えた複数枚の静止画像を、この並び替えた順番のコマ画像からなる動画像とみなし、動画像の圧縮を行う。この動画像の圧縮は、ＭＰＥＧ２等の公知の動画像圧縮技術を利用すればよい。動画像として圧縮された動画像ファイルは、第２の記憶手段に記憶される。
【０００８】
このように、複数枚の静止画像を、隣り合う静止画像の変化量が小さくなるように並べ、これを動画像とみなして圧縮するので、動画像ファイルの容量を、静止画像毎に圧縮した静止画像ファイルの合計容量よりも、小さくできる。したがって、静止画像データの保存管理に必要な第２の記憶手段の記憶容量が抑えられる。また、静止画像の一部を切り捨てることなく、複数枚の静止画像の保存に必要な記憶容量が抑えられるので、保存している静止画像（動画像ファイルにおける各コマの画像）から得られる情報に欠落が生じることもない。
【０００９】
また、上位装置等の外部機器から、撮像タイミングであることが指示されたときに、ＣＣＤカメラ等を有する撮像手段で撮像している撮像画像を静止画像で取り込み、上記第１の記憶手段に蓄積的に記憶する構成としてもよい。このようにすれば、撮像手段で撮像した複数枚の静止画像の保存管理が効率的に行える。
【００１０】
また、各撮像タイミングにおいて、複数枚の撮像画像を取り込み、これらの撮像画像の中で対象物が適正な位置に撮像されている撮像画像を１つ選択し、ここで選択した撮像画像を動画像として圧縮する撮像画像としてもよい。このようにすれば、動画像として保存した撮像画像の中に、対象物が不適正な位置に撮像されている撮像画像が含まれるのを防止できる。
【００１１】
さらに、対象物が適正な位置に撮像されていて、且つ他の撮像タイミングで撮像された撮像画像との変化量がより小さい画像、を選択するようにしてもよい。このようにすれば、動画像の容量が一層抑えられる。
【発明の効果】
【００１２】
この発明によれば、保存する複数枚の静止画像のデータ量が効率的に抑えられる。また、静止画像の一部を切り捨てることなく保存するので、保存している静止画像から得られる情報量の低下も生じない。
【発明を実施するための最良の形態】
【００１３】
以下、この発明の実施形態である画像管理装置について説明する。
【００１４】
ここでは、画像管理装置を、銀行等の金融機関の店舗に設置され、入金取引、出金取引、振替取引、振込取引、残高照会取引等の各種取引が行える自動取引処理装置（所謂、ＡＴＭ）に組み込んだ場合を例にして説明する。
【００１５】
図１は、この画像管理装置を組み込んだ自動取引処理装置の主要部の構成を示す図である。図２は、この自動取引処理装置の外観を示す概略図である。画像管理装置２は、組み込まれている自動取引処理装置１において処理された取引毎に、利用者の撮像画像や使用されたキャッシュカード（以下、単にカードと言う。）の撮像画像を取り込むとともに、取り込んだ撮像画像を保存管理する。自動取引処理装置１は、組み込まれている画像管理装置２の他に、主制御部１１と、カード処理部１２と、通帳処理部１３と、紙幣処理部１４と、硬貨処理部１５と、表示部１６と、操作部１７と、上位通信部１８と、入出力インタフェース１９（以下、入出力Ｉ／Ｆ１９と言う。）と、を備えている。また、自動取引処理装置１に組み込まれている画像管理装置２は、制御部２１と、撮像部２２と、画像処理部２３と、記憶部２４と、入出力インタフェース２５（以下、入出力Ｉ／Ｆ２５と言う。）と、を備えている。自動取引処理装置１の主制御部１１と、画像管理装置２の制御部２１と、は入出力Ｉ／Ｆ１９、２５を介して接続されている。
【００１６】
主制御部１１は、自動取引処理装置１本体各部の動作を制御するとともに、画像管理装置２に対して利用者やカードの撮像タイミングを指示する。カード処理部１２は、本体前面に設けられたカード挿入口１２ａと、本体内部のカード保留部（不図示）と、の間で、カードを搬送する。カード処理部１２は、カード挿入口１２ａに設けられたシャッタを開閉することにより、利用者によるカードの挿入を許可する状態と、禁止する状態との切り替えを行う。また、カード挿入口１２ａには、カードが挿入されたことを検知するセンサが設けられており、このセンサによりカードの挿入を検知すると、カード保留部へのカードの搬送を開始する。また、カード処理部１２は、カードを搬送するカード搬送路の途中に配置している磁気ヘッドを、カード保留部に搬送しているカードの磁気ストライプに当接させて記録されているカード情報を読み取る。カード情報には、金融機関コード、店舗コード、口座番号等が含まれている。また、カード処理部１２は、カード保留部からカード挿入口１２ａに搬送しているカードに対して、磁気ヘッドを当接させて、カード情報を書き込む。さらに、カード処理部１２は、カード保留部に保留されているカードがＩＣカードである場合、このカードのＩＣ接点に電気的に接続する接続端子を有している。カード処理部１２は、接続端子をカードのＩＣ接点に接続し、ＩＣメモリに記録されているカード情報の読み取りや、書き込みを行う。
【００１７】
通帳処理部１３は、本体前面に設けられた通帳挿入口１３ａと、本体内部の通帳保留部（不図示）と、の間で、通帳を搬送する。通帳処理部１３は、通帳挿入口１３ａに設けられたシャッタを開閉することにより、利用者による通帳の挿入を許可する状態と、禁止する状態との切り替えを行う。また、通帳挿入口１３ａには、通帳が挿入されたことを検知するセンサが設けられており、このセンサにより通帳の挿入を検知すると、通帳保留部への通帳の搬送を開始する。通帳処理部１３は、通帳を搬送する通帳搬送路の途中に配置している磁気ヘッドを、通帳保留部に搬送している通帳に貼付されている磁気ストライプに当接させて記録されている通帳情報を読み取る。通帳情報も、上述したカード情報と同様に、金融機関コード、店舗コード、口座番号等が含まれている。また、通帳処理部１３は、通帳保留部から通帳挿入口１３ａに搬送している通帳に対して、磁気ヘッドを当接させて、カード情報を書き込む。また、通帳処理部１３は、通帳を搬送するカード搬送路の途中に配置している印字ヘッドを有し、この印字ヘッドで取引内容等を通帳に印字する。通帳処理部１３は、開かれている通帳の頁に印刷されている頁番号を示すバーコードを読み取るバーコードリーダや、印字済みの行を認識し、印字開始行を判断するためのイメージスキャナ等を有している。さらに、通帳処理部１３は、取引に通帳が使用されなかった場合に、取引内容を印字した明細票を明細票発行口１３ｂに放出する、明細票発行機能を有している。
【００１８】
紙幣処理部１４は、本体前面に設けた紙幣入出金口１４ａと、本体内部に設けた金種別紙幣カートリッジと、の間で紙幣を搬送する。紙幣処理部１４は、紙幣入出金口１４ａに設けたシャッタを開閉し、利用者による紙幣の投入や、抜き取りを制限する。また、紙幣処理部１４は、搬送している紙幣毎に、金種や真偽を鑑別する紙幣鑑別部を有している。硬貨処理部１５は、本体前面に設けた硬貨入出金口１５ａと、本体内部に設けた金種別硬貨カートリッジと、の間で硬貨を搬送する。硬貨処理部１５は、硬貨入出金口１５ａに設けたシャッタを開閉し、利用者による硬貨の投入や、抜き取りを制限する。また、硬貨処理部１５は、投入、または放出する硬貨毎に、金種や真偽を鑑別する硬貨鑑別部を有している。
【００１９】
表示部１６は、利用者に対する操作案内画面を、本体前面に設けた表示器１６ａに表示する表示制御を行う。操作部１７は、表示器１６ａの画面上に貼付したタッチパネルを有し、当該タッチパネルの押下位置を検知することにより、利用者の入力操作を検知する。上位通信部１８は、図示していない上位装置との間におけるデータ通信を制御する。ここで言う上位装置とは、金融機関の店舗に設置されている店舗サーバや、センタに設置されているセンタ装置である。自動取引処理装置１は、上位装置に対して、取引の認証要求や、処理した取引にかかる取引データの通知等を行う。入出力Ｉ／Ｆ１９は、この自動取引処理装置１に組み込まれている画像管理装置２との間における入出力を制御する。
【００２０】
次に、画像管理装置２の構成について説明する。画像管理装置２の制御部２１は、画像管理装置２本体各部の動作を制御する。撮像部２２は、２つのカメラ２２ａ、２２ｂを有する。一方のカメラ２２ａは、自動取引処理装置１で取引を行っている利用者を撮像するカメラであり、自動取引処理装置１本体正面が撮像エリアになるように、自動取引処理装置１の前面に取り付けている。他方のカメラ２２ｂは、取引に使用されたカードを撮像するカメラであり、自動取引処理装置１本体内部のカード保留部に保留されているカード全体が撮像できる位置に取り付けている。画像処理部２３は、撮像部２２のカメラ２２ａ、２２ｂで撮像された撮像画像を一時的に記憶する画像メモリ２３ａを有している。この画像メモリ２３ａが、この発明で言う第１の記憶手段に相当する。また、画像処理部２３は、画像メモリ２３ａに記憶している撮像画像を処理するイメージプロセッサを有している。画像処理部２３は、撮像部２２で撮像された複数枚の撮像画像を、動画像として圧縮する処理を行う。例えば、公知のＭＰＥＧ２で圧縮する。記憶部２４は、画像処理部２３で圧縮された動画像ファイル等を記憶するハードディスク等の記憶媒体を有している。この記憶部２４が、この発明で言う第２の記憶手段に相当する。入出力Ｉ／Ｆ２５は、自動取引処理装置１の入出力Ｉ／Ｆ１９と接続されており、自動取引処理装置１との間における入出力を制御する。
【００２１】
この実施形態では、画像管理装置２は、本体が組み込まれている自動取引処理装置１から、撮像部２２のカメラ２２ａ、２２ｂで撮像している撮像画像を取り込む撮像タイミングが指示される。言い換えれば、自動取引処理装置１が、画像管理装置２に対して撮像タイミングを指示する。自動取引処理装置１には、画像管理装置２に対して指示する撮像タイミングが予め設定されている。また、自動取引処理装置１は、カメラ２２ａ、２２ｂ毎に、撮像タイミングを指示する。カメラ２２ａについては、利用者が自動取引処理装置１に対して、カード、通帳、紙幣、硬貨等の挿入（投入）や、抜き取りを行うタイミングを撮像タイミングとして自動取引処理装置１に設定している。利用者が自動取引処理装置１に対して、カード、通帳、紙幣、硬貨等の挿入（投入）や、抜き取りを行うタイミングは、取引の種別によって異なることから、取引の種別毎に、撮像タイミングを設定している。一方、カメラ２２ｂについては、カードを、カード保留部に保留しているタイミングを撮像タイミングとして自動取引処理装置１に設定している。
【００２２】
以下、この自動取引処理装置１の動作について説明する。自動取引処理装置１は、上述したように、入金取引、出金取引、振替取引、振込取引、残高照会取引等の各種取引を処理する。図３は、自動取引処理装置の動作を示すフローチャートである。自動取引処理装置１は、利用者によって取引種別が選択されるのを待つ（ｓ１）。自動取引処理装置１は、利用者によって取引種別が選択されると、選択された種別の取引を処理する（ｓ２）。自動取引処理装置１は、ｓ２にかかる取引処理が完了すると、画像管理装置２に対して取引完了を通知し（ｓ３）、ｓ１に戻る。自動取引処理装置１は、ｓ２で選択された種別の取引を処理しているときに、処理している種別の取引について予め設定されている撮像タイミング毎に、画像管理装置２に対して撮像タイミングであることを指示する。また、自動取引処理装置１による画像管理装置２への撮像タイミングの指示には、撮像画像を取り込むカメラ２２ａ、２２ｂの指定、および取り込む撮像画像の枚数が含まれている。
【００２３】
ここでは、１つの例として、自動取引処理装置１がｓ２で出金取引を処理するときの動作について説明する。図４は、出金取引を示すフローチャートである。自動取引処理装置１は、まず利用者によるカードの挿入を受け付けるカード受付処理を行う（ｓ１１）。このカード受付処理は、利用者がカード挿入口１２ａにカードを挿入することから、カメラ２２ａの撮像タイミングに設定されている。また、受け付けたカードをカード保留部に搬送するので、カメラ２２ｂの撮像タイミングとしても設定されている。
【００２４】
自動取引処理装置１は、カードを受け付けると、暗証番号や出金金額等の取引データの入力を受け付ける取引データ受付処理を行う（ｓ１２）。出金取引では通帳の挿入は必須ではないが、通帳を使用して出金取引を行う利用者もいるので、この取引データ受付処理には、後述するように通帳を受け付ける処理も含まれている。このため、利用者が通帳を挿入する可能性があるので、カメラ２２ａの撮像タイミングに設定されている。
【００２５】
自動取引処理装置１は、ｓ１１で受け付けたカードに記録されているカード情報や、ｓ１２で入力を受け付けた取引データ等に基づいて取引の可否を判断する認証処理を行う（ｓ１３）。この認証処理は、カメラ２２ａ、２２ｂの撮像タイミングに設定されていない。自動取引処理装置１は、ｓ１３にかかる認証結果が取引可であれば、ｓ１２で入力された出金金額に応じた紙幣や硬貨を放出する出金処理を行う（ｓ１４、ｓ１５）。自動取引処理装置１は、取引不可であった場合には、ｓ１５にかかる出金処理は行わない。この出金処理は、利用者が放出した紙幣や硬貨を抜き取るので、カメラ２２ａの撮像タイミングに設定されている。
【００２６】
自動取引処理装置１は、ｓ１３にかかる認証結果が取引不可であった場合、またはｓ１５で出金処理を行うと、今回の取引で挿入されたカードを利用者に返却するカード返却処理を行う（ｓ１６）。このカード返却処理は、カード挿入口１２ａに放出したカードを利用者が抜き取るので、カメラ２２ａの撮像タイミングに設定されている。
【００２７】
自動取引処理装置１は、今回の取引で通帳が挿入されていれば、この通帳を利用者に返却する通帳返却処理を行う（ｓ１７、ｓ１８）。反対に、今回の取引で通帳が挿入されていなければ、取引内容を印字した明細票を利用者に発行する明細票発行処理を行う（ｓ１７、ｓ１９）。通帳返却処理は、利用者が放出した通帳を抜き取るので、カメラ２２ａの撮像タイミングに設定されている。また、明細票発行処理は、利用者が発行した明細票を抜き取るので、カメラ２２ａの撮像タイミングに設定されている。
【００２８】
なお、ｓ１４で取引不可と判定されている場合には、ｓ１９で明細票を発行することなく、この出金取引を処理する。
【００２９】
次に、上述した各処理について詳細に説明するとともに、画像管理装置の動作について説明する。まず、ｓ１１にかかるカード受付処理について説明する。図５は、このカード受付処理を示すフローチャートである。また、図６は画像管理装置の動作を示すフローチャートである。自動取引処理装置１は、画像管理装置２に対してカメラ２２ａの撮像タイミングであることを指示する（ｓ２１）。このとき、自動取引処理装置１は、画像管理装置２に対して取り込む撮像画像の枚数も指示する。例えば、ここではＡ枚（Ａ≧１）の撮像画像を取り込むことを指示する。自動取引処理装置１は、カード挿入口１２ａに設けられているシャッタを開し、利用者によるカードの挿入を可能にする（ｓ２２）。
【００３０】
画像管理装置２は、自動取引処理装置１から撮像タイミングであることが指示されると（ｓ３１）、撮像画像を取り込むカメラ２２ａ、または２２ｂと、取り込む撮像画像の枚数を判断する（ｓ３２）。画像管理装置２は、ｓ３２で判断したカメラ２２ａ、または２２ｂで撮像している撮像画像を指示された枚数取り込む（ｓ３３）。ｓ３３では、一定時間間隔（数１０ｍｓ間隔）で撮像部２２のカメラ２２ａ、または２２ｂで撮像されている撮像画像の取り込みを、指示された枚数分繰り返す。ここでは、カメラ２２ａが撮像している撮像画像をＡ枚取り込む。ここで取り込んだ撮像画像は、画像メモリ２３ａに一時的に保存される。画像管理装置２は、指示されたカメラ２２ａまたは２２ｂが撮像している撮像画像を指示された枚数取り込むと、自動取引処理装置１に対して撮像完了を通知し（ｓ３４）、ｓ３１に戻る。
【００３１】
自動取引処理装置１は、ｓ２２でシャッタを開した後、カード挿入口１２ａにカードが挿入されるか、画像管理装置２から撮像完了通知があるのを待つ（ｓ２３、ｓ２４）。カード挿入口１２ａにおけるカードの挿入は、カード挿入口１２ａに設けたセンサで検知している。自動取引処理装置１は、カード挿入口１２ａにカードが挿入される前に、画像管理装置２から撮像完了通知があると、今回取り込んだＡ枚の撮像画像の破棄を画像管理装置２に通知し（ｓ２５）、ｓ２１に戻る。すなわち、自動取引処理装置１は、カードをカード挿入口１２ａに挿入する利用者の撮像画像を画像メモリ２３ａに取り込んでいないので、ｓ２５で、今回取り込んだＡ枚の撮像画像の破棄を画像管理装置２に通知する。
【００３２】
なお、ｓ２５で撮像画像の破棄を画像管理装置２に通知してｓ２１に戻ったときには、すでにカード挿入口１２ａのシャッタは開しているので、ｓ２２では自動取引処理装置１における状態変化は生じない。
【００３３】
画像管理装置２は、自動取引処理装置１から今回撮像した撮像画像の破棄が通知されると（ｓ３５）、直前にｓ３３で取り込んだ、指示された枚数の撮像画像を破棄し（ｓ３６）、ｓ３１に戻る。
【００３４】
この後、自動取引処理装置１が、再度ｓ２１で、画像管理装置２に対して、カメラ２２ａの撮像タイミングであることを指示する。したがって、画像管理装置２も、上述したｓ３２〜ｓ３４の処理を行う。このため、画像管理装置２は、カード挿入口１２ａにカードを挿入する利用者の撮像画像を画像メモリ２３ａに確実に取り込むことができる。
【００３５】
自動取引処理装置１は、画像管理装置２からの撮像完了通知の前に、カード挿入口１２ａにカードが挿入されると、本体内部のカード保留部へのカードの取り込みを開始する（ｓ２６）。ｓ２６では、本体内部のカード保留部へのカードの搬送を開始する。自動取引処理装置１は、カードが本体内部のカード保留部に達すると（ｓ２７）、カードの取り込みを停止する（ｓ２８）。カード処理部１２は、カードの先端がカード挿入口１２ａのシャッタよりも本体内側に達した時点で、このシャッタを閉する。また、カードを搬送しているときに、カードに記録されているカード情報を読み取っている。自動取引処理装置１は、このカード受付処理では、ｓ２６以降に、画像管理装置２からの撮像完了通知があっても、これを無視する。また、自動取引処理装置１は、ｓ２８でカードの取り込みを停止すると、画像管理装置２に対してカメラ２２ｂの撮像タイミングであることを指示し（ｓ２９）、このカード受付処理を終了する。自動取引処理装置１は、ｓ２９では１枚の撮像画像を取り込むことを指示する。ここでは、カード保留部に停止しているカードの撮像画像を取り込む指示であることから、複数枚の撮像画像を取り込む必要がない。
【００３６】
画像管理装置２は、自動取引処理装置１からｓ２８にかかる指示があると、上述したｓ３２〜ｓ３４にかかる処理を行う。これにより、カード保留部に保留したカードの撮像画像が画像メモリ２３ａに保存される。
【００３７】
次に、ｓ１２にかかる取引データ受付処理について説明する。図７は、この取引データ受付処理を示すフローチャートである。自動取引処理装置１は、画像管理装置２に対してカメラ２２ａの撮像タイミングであることを指示する（ｓ４１）。このとき、自動取引処理装置１は、画像管理装置２に対して取り込む撮像画像の枚数も指示する。例えば、ここではＢ枚（Ｂ≧１）の撮像画像を取り込むことを指示する。自動取引処理装置１は、通帳挿入口１３ａに設けられているシャッタを開し、利用者による通帳の挿入を可能にする（ｓ４２）。画像管理装置２は、自動取引処理装置１から撮像タイミングであることが指示されるので、上述したｓ３２〜ｓ３４にかかる処理を行う。
【００３８】
一般に、出金取引では、通帳の挿入が必須ではない。このため、自動取引処理装置１は、通帳が挿入されるか（ｓ４３）、暗証番号や出金金額等の取引データが入力されるか（ｓ４４）、画像管理装置２からの撮像完了通知があるのを待つ（ｓ４５）。自動取引処理装置１は、通帳の挿入、または暗証番号や出金金額の入力よりも前に、画像管理装置２から撮像完了通知があると、今回撮像したＢ枚の撮像画像の破棄を画像管理装置２に通知し（ｓ４６）、ｓ４１に戻る。すなわち、自動取引処理装置１は、通帳を通帳挿入口１３ａに挿入する利用者の撮像画像を画像メモリ２３ａに取り込んでいないので、ｓ４６で、今回取り込んだＢ枚の撮像画像の破棄を画像管理装置２に通知する。これにより、画像管理装置２はｓ３６にかかる処理を行うので、利用者が通帳を通帳挿入口１３ａに挿入していない無駄な撮像画像を画像メモリ２３ａに記憶するのを防止できる。
【００３９】
なお、ｓ４６で撮像画像の破棄を画像管理装置２に通知してｓ４１に戻ったときには、すでに通帳挿入口１３ａのシャッタは開しているので、ｓ４２では自動取引処理装置１における状態変化は生じない。
【００４０】
一方、自動取引処理装置１は、通帳の挿入よりも前に、暗証番号や出金金額が入力されると、画像管理装置２から撮像完了通知を待って（ｓ４７）、今回撮像したＢ枚の撮像画像の破棄を画像管理装置２に通知する（ｓ４８）。また、このとき通帳挿入口１３ａのシャッタを閉する。したがって、利用者が通帳を挿入しなかったときには（すなわち、利用者が取引に通帳を使用しなかったときには）、無駄な撮像画像を画像メモリ２３ａに記憶することがない。
【００４１】
また、自動取引処理装置１は、画像管理装置２からの撮像完了通知の前に、通帳挿入口１３ａに通帳が挿入されると、挿入された通帳の取り込みを開始する（ｓ４９）。ｓ４９では、本体内部の通帳保留部への通帳の搬送を開始する。自動取引処理装置１は、通帳が本体内部の通帳保留部に達すると（ｓ５０）、通帳の取り込みを停止する（ｓ５１）。通帳処理部１３は、通帳の先端が通帳挿入口１３ａのシャッタよりも本体内側に達した時点で、このシャッタを閉する。また、通帳を搬送しているときに、通帳に貼付されている軸ストライプに記録されている通帳情報を読み取っている。また、通帳処理部１３は、開かれている通帳の頁に印刷されている頁番号を示すバーコードの読み取りや、印字済みの行の認識を行っている。自動取引処理装置１は、この取引データ受付処理では、ｓ４３以降に、画像管理装置２からの撮像完了通知があっても、これを無視する。また、自動取引処理装置１は、ｓ５１で通帳の取り込みを停止すると、暗証番号や出金金額等の取引データの入力を受け付ける（ｓ５２）。自動取引処理装置１は、ｓ４５、またはｓ５２で取引データの入力を受け付けると、この取引データ受付処理を終了する。
【００４２】
したがって、この出金取引で利用者が通帳を使用した場合には、通帳を挿入している利用者の撮像画像を画像メモリ２３ａに記憶することができ、反対に、通帳を使用しなかった場合には、無駄な撮像画像を画像メモリ２３ａに記憶することがない。
【００４３】
次に、ｓ１３にかかる、認証処理について説明する。ｓ１３では、今回の出金取引で挿入されたカードから読み取ったカード情報や、入力された暗証番号や出金金額等の取引データを含む、取引の認証要求を上位装置であるセンタに送信する。上位装置が、今回の取引を許可するかどうかを判定する認証処理を行い、その認証結果を自動取引処理装置１に通知する。自動取引処理装置１は、センタからの認証結果に基づいて、ｓ１４における取引可否の判定を行う。自動取引処理装置１は、上述したように、ｓ１４で取引可と判定すると、ｓ１５にかかる出金処理を行う。また、取引不可と判定した場合には、この出金処理を行うことなく、ｓ１６以降の処理を実行する。
【００４４】
次に、ｓ１５にかかる出金処理について説明する。図８は、この出金処理を示すフローチャートである。自動取引処理装置１は、先の取引データ受付処理で入力された出金金額に応じた金額の紙幣や硬貨を、本体内部の金種別紙幣カートリッジや金種別硬貨カートリッジに繰り出し、紙幣入出金口１４ａや硬貨入出金口１５ａに搬送する（ｓ６１）。この時点では、紙幣入出金口１４ａや硬貨入出金口１５ａに設けられているシャッタは閉されている。紙幣入出金口１４ａや硬貨入出金口１５ａへの出金金額に応じた金額の紙幣や硬貨の搬送が完了すると、自動取引処理装置１は、画像管理装置２に対してカメラ２２ａの撮像タイミングであることを指示する（ｓ６２）。このときも、自動取引処理装置１は、画像管理装置２に対して取り込む撮像画像の枚数も指示する。例えば、ここではＣ枚（Ｃ≧１）の撮像画像を取り込むことを指示する。自動取引処理装置１は、紙幣入出金口１４ａや硬貨入出金口１５ａに設けられているシャッタを開する（ｓ６３）。これにより、利用者は出金紙幣や出金硬貨の抜き取りが行える。画像管理装置２は、ｓ６２にかかる自動取引処理装置１に指示により、上述したｓ３２〜ｓ３４にかかる処理を実行する。
【００４５】
なお、ｓ６３では、出金紙幣がない場合には、紙幣入出金口１４ａのシャッタを開しない。また、出金硬貨がない場合には、硬貨入出金口１５ａのシャッタを開しない。
【００４６】
自動取引処理装置１は、紙幣入出金口１４ａや硬貨入出金口１５ａから紙幣や硬貨が抜き取られるか（ｓ６４）、画像管理装置２からの撮像完了通知があるのを待つ（ｓ６５）。自動取引処理装置１は、紙幣入出金口１４ａや硬貨入出金口１５ａから紙幣や硬貨が抜き取られる前に、画像管理装置２からの撮像完了通知があると、今回取り込んだＣ枚の撮像画像の破棄を画像管理装置２に通知し（ｓ６６）、ｓ６２に戻る。すなわち、自動取引処理装置１は、紙幣や硬貨を抜き取る利用者の撮像画像を画像メモリ２３ａに取り込んでいないので、ｓ６６で、今回取り込んだＣ枚の撮像画像の破棄を画像管理装置２に通知する。これにより、画像管理装置２は、ｓ３６にかかる処理を実行し、直前にｓ３３で取り込んだ指示された枚数（ここではＣ枚）の撮像画像を破棄する。この後、画像管理装置２は、自動取引処理装置１から再度撮像部２２のカメラ２２ａについて、Ｃ枚の撮像画像の取り込みタイミングであることが指示されるので、上述したｓ３２〜ｓ３４にかかる処理を実行する。このため、画像管理装置２は、紙幣や硬貨を抜き取る利用者の撮像画像を画像メモリ２３ａに確実に取り込むことができる。
【００４７】
自動取引処理装置１は、画像管理装置２からの撮像完了通知の前に、紙幣入出金口１４ａや硬貨入出金口１５ａから紙幣や硬貨が抜き取られると、紙幣入出金口１４ａや硬貨入出金口１５ａに設けられているシャッタを閉し（ｓ６７）、この処理を完了する。自動取引処理装置１は、この出金処理では、ｓ６７以降に、画像管理装置２からの撮像完了通知があっても、これを無視する。
【００４８】
次に、ｓ１６にかかるカード返却処理について説明する。図９は、このカード返却処理を示すフローチャートである。自動取引処理装置１は、カード保留部に保留しているカードをカード挿入口１２ａに搬送する処理を開始する（ｓ７１）。また、自動取引処理装置１は、画像管理装置２に対してカメラ２２ａの撮像タイミングであることを指示する（ｓ７２）。ｓ７１では、カード挿入口１２ａに設けられているシャッタを開し、カードをカード保留部からカード挿入口１２ａへ搬送する。カード処理部１２は、カード挿入口１２ａに搬送しているカードに対して、カード情報の書き込みを行う。自動取引処理装置１は、カードの一部がカード挿入口１２ａから外側に突出する位置まで搬送すると、カードの搬送を停止する。また、ｓ７２では、Ｄ枚（Ｄ≧１）の撮像画像を取り込むことを指示している。画像管理装置２は、ｓ７２にかかる自動取引処理装置１に指示により、上述したｓ３２〜ｓ３４にかかる処理を実行する。
【００４９】
自動取引処理装置１は、カード挿入口１２ａに搬送したカードが抜き取られるか（ｓ７３）、画像管理装置２からの撮像完了通知があるのを待つ（ｓ７４）。自動取引処理装置１は、カード挿入口１２ａに搬送したカードが抜き取られる前に、画像管理装置２からの撮像完了通知があると、今回撮像したＤ枚の撮像画像の破棄を画像管理装置２に通知し（ｓ７５）、ｓ７２に戻る。すなわち、自動取引処理装置１は、画像管理装置２がカードを抜き取る利用者の撮像画像を取り込んでいない場合に、今回撮像したＤ枚の撮像画像の破棄を画像管理装置２に通知する。これにより、画像管理装置２は、ｓ３６にかかる処理を実行し、直前にｓ３３で取り込んだ指示された枚数（ここではＤ枚）の撮像画像を破棄する。この後、画像管理装置２は、自動取引処理装置１から再度撮像部２２のカメラ２２ａについて、撮像画像の取り込みタイミングであることが指示されるので、上述したｓ３２〜ｓ３４にかかる処理を実行する。
【００５０】
自動取引処理装置１は、画像管理装置２からの撮像完了通知の前に、カード挿入口１２ａに搬送したカードが抜き取られると、カード挿入口１２ａに設けられているシャッタを閉し（ｓ７６）、この処理を完了する。自動取引処理装置１は、このカード返却処理では、ｓ７６以降に、画像管理装置２からの撮像完了通知があっても、これを無視する。
【００５１】
次に、ｓ１８にかかる通帳返却処理について説明する。図１０は、この通帳返却処理を示すフローチャートである。自動取引処理装置１は、通帳保留部に保留している通帳を通帳挿入口１３ａに搬送する処理を開始する（ｓ８１）。また、自動取引処理装置１は、画像管理装置２に対してカメラ２２ａの撮像タイミングであることを指示する（ｓ８２）。ｓ８１では、通帳挿入口１３ａに設けられているシャッタを開し、通帳を通帳保留部から通帳挿入口１３ａへ搬送する。通帳処理部１３は、通帳挿入口１３ａに搬送している通帳に貼付されている磁気ストライプに対する通帳情報の書き込や、通帳の開かれている頁に対する取引内容の印字等を行う。自動取引処理装置１は、通帳の一部が通帳挿入口１３ａから外側に突出する位置まで搬送すると、通帳の搬送を停止する。また、ｓ８２では、Ｅ枚（Ｅ≧１）の撮像画像を取り込むことを指示している。画像管理装置２は、ｓ８２にかかる自動取引処理装置１に指示により、上述したｓ３２〜ｓ３４にかかる処理を実行する。
【００５２】
自動取引処理装置１は、通帳挿入口１３ａに搬送した通帳が抜き取られるか（ｓ８３）、画像管理装置２からの撮像完了通知があるのを待つ（ｓ８４）。自動取引処理装置１は、通帳挿入口１３ａに搬送した通帳が抜き取られる前に、画像管理装置２からの撮像完了通知があると、今回撮像したＥ枚の撮像画像の破棄を画像管理装置２に通知し（ｓ８５）、ｓ８２に戻る。すなわち、自動取引処理装置１は、画像管理装置２が通帳を抜き取る利用者の撮像画像を取り込んでいない場合に、今回撮像したＥ枚の撮像画像の破棄を画像管理装置２に通知する。これにより、画像管理装置２は、ｓ３６にかかる処理を実行し、直前にｓ３３で取り込んだ指示された枚数（ここではＥ枚）の撮像画像を破棄する。この後、画像管理装置２は、自動取引処理装置１から再度撮像部２２のカメラ２２ａについて、撮像画像の取り込みタイミングであることが指示されるので、上述したｓ３２〜ｓ３４にかかる処理を実行する。
【００５３】
自動取引処理装置１は、画像管理装置２からの撮像完了通知の前に、通帳挿入口１３ａに搬送した通帳が抜き取られると、通帳挿入口１３ａに設けられているシャッタを閉し（ｓ８６）、この処理を完了する。自動取引処理装置１は、この通帳返却処理では、ｓ８６以降に、画像管理装置２からの撮像完了通知があっても、これを無視する。
【００５４】
次に、ｓ１９にかかる明細票発行処理について説明する。図１１は、この明細票発行処理を示すフローチャートである。自動取引処理装置１は、明細票保留部に保留している未印字の明細票を繰り出し、この明細票を明細票発行口１３ｂに搬送する処理を開始する（ｓ９１）。また、自動取引処理装置１は、画像管理装置２に対してカメラ２２ａの撮像タイミングであることを指示する（ｓ９２）。ｓ９１では、明細票発行口１３ｂに設けられているシャッタを開し、明細票の一部が明細票発行口１３ｂから突出する位置まで搬送する。通帳処理部１３は、明細票に対する取引内容の印字等も行う。自動取引処理装置１は、明細票の一部が明細票発行口１３ｂから外側に突出する位置まで搬送すると、明細票の搬送を停止する。また、ｓ９２では、Ｆ枚（Ｆ≧１）の撮像画像を取り込むことを指示している。画像管理装置２は、ｓ９２にかかる自動取引処理装置１に指示により、上述したｓ３２〜ｓ３４にかかる処理を実行する。
【００５５】
自動取引処理装置１は、明細票発行口１３ｂに搬送した明細票が抜き取られるか（ｓ９３）、画像管理装置２からの撮像完了通知があるのを待つ（ｓ９４）。自動取引処理装置１は、明細票発行口１３ｂに搬送した明細票が抜き取られる前に、画像管理装置２からの撮像完了通知があると、今回撮像したＦ枚の撮像画像の破棄を画像管理装置２に通知し（ｓ９５）、ｓ９２に戻る。すなわち、自動取引処理装置１は、画像管理装置２が明細票を抜き取る利用者の撮像画像を取り込んでいない場合に、今回撮像したＦ枚の撮像画像の破棄を画像管理装置２に通知する。これにより、画像管理装置２は、ｓ３６にかかる処理を実行し、直前にｓ３３で取り込んだ指示された枚数（ここではＦ枚）の撮像画像を破棄する。この後、画像管理装置２は、自動取引処理装置１から再度撮像部２２のカメラ２２ａについて、撮像画像の取り込みタイミングであることが指示されるので、上述したｓ３２〜ｓ３４にかかる処理を実行する。
【００５６】
自動取引処理装置１は、画像管理装置２からの撮像完了通知の前に、明細票発行口１３ｂに搬送した明細票が抜き取られると、明細票発行口１３ｂに設けられているシャッタを閉し（ｓ９６）、この処理を完了する。自動取引処理装置１は、この明細票発行処理では、ｓ９６以降に、画像管理装置２からの撮像完了通知があっても、これを無視する。
【００５７】
このように、画像管理装置２は、自動取引処理装置１で上述した出金取引が処理された場合、この自動取引処理装置１からの撮像指示にしたがって、
（１）カードを挿入する利用者を撮像したＡ枚の撮像画像
（２）通帳を挿入する利用者を撮像したＢ枚の撮像画像
（３）出金紙幣や出金硬貨を抜き取る利用者を撮像したＣ枚の撮像画像
（４）カードを抜き取る利用者を撮像したＤ枚の撮像画像
（５）通帳を抜き取る利用者を撮像したＥ枚の撮像画像
（６）取引に使用されたカードの撮像画像
を取り込んでいる。
【００５８】
なお、上記は通帳が使用された場合であり、通帳が使用されていない場合には、
（１）カードを挿入する利用者を撮像したＡ枚の撮像画像
（２）出金紙幣や出金硬貨を抜き取る利用者を撮像したＣ枚の撮像画像
（３）カードを抜き取る利用者を撮像したＤ枚の撮像画像
（４）明細票を抜き取る利用者を撮像したＦ枚の撮像画像
（５）取引に使用されたカードの撮像画像
を取り込んでいる。
【００５９】
図６に示すように、画像管理装置２は、自動取引処理装置１からの取引完了通知があると、撮像画像圧縮処理を実行する（ｓ３７、ｓ３８）。この撮像画像圧縮処理は、取引を行っている利用者を撮像した撮像画像を圧縮する処理であり、取引に使用されたカードを撮像した撮像画像を圧縮する処理ではない。取引に使用されたカードを撮像した撮像画像を圧縮する処理については、別に行われる。
【００６０】
取引を行っている利用者を撮像した撮像画像を圧縮する処理について説明する。ここでは、上述した出金取引で、通帳が使用されていた場合を例にして説明する。図１２は、この撮像画像圧縮処理を示すフローチャートである。画像管理装置２は、上述したように、画像メモリ２３ａに、
（１）カードを挿入する利用者を撮像したＡ枚の撮像画像
（２）通帳を挿入する利用者を撮像したＢ枚の撮像画像
（３）出金紙幣や出金硬貨を抜き取る利用者を撮像したＣ枚の撮像画像
（４）カードを抜き取る利用者を撮像したＤ枚の撮像画像
（５）通帳を抜き取る利用者を撮像したＥ枚の撮像画像
を記憶している。
【００６１】
画像管理装置２は、利用者の状態毎に、適当な撮像画像を１枚抽出する（ｓ１０１）。すなわち、ｓ１０１では、カードを挿入する利用者を撮像したＡ枚の撮像画像、通帳を挿入する利用者を撮像したＢ枚の撮像画像、出金紙幣や出金硬貨を抜き取る利用者を撮像したＣ枚の撮像画像、カードを抜き取る利用者を撮像したＤ枚の撮像画像、および通帳を抜き取る利用者を撮像したＥ枚の撮像画像、のそれぞれから適当な撮像画像を１枚抽出する。また、ｓ１０１では、撮像画像における利用者の撮像位置（特に、顔の位置）等に基づいて、抽出する撮像画像を決定する。図１３は、ｓ１０１で利用者の状態毎に抽出された撮像画像を示す模式図である。図１３（Ａ）はカードを挿入する利用者を撮像した撮像画像であり、図１３（Ｂ）は通帳を挿入する利用者を撮像した撮像画像であり、図１３（Ｃ）は出金紙幣や出金硬貨を抜き取る利用者を撮像した撮像画像であり、図１３（Ｄ）はカードを抜き取る利用者を撮像した撮像画像であり、図１３（Ｅ）は通帳を抜き取る利用者を撮像した撮像画像である。
【００６２】
画像管理装置２は、ｓ１０１で抽出した撮像画像の中で、代表画像を選択する（ｓ１０２）。ｓ１０２では、例えば、撮像タイミングが時間的に最も早い撮像画像、この例ではカードを挿入する利用者を撮像した撮像画像、を代表画像として選択すればよい。画像管理装置２は、ｓ１０１で抽出した撮像画像の中から、ｓ１０２で選択した代表画像を抽出する（ｓ１０３）。画像管理装置２は、ｓ１０１で抽出した撮像画像であって、ｓ１０３または後述するｓ１０５で抽出されていない撮像画像（以下、未抽出の撮像画像と言う。）の中で、直前に抽出した撮像画像に対する変化量が最小である撮像画像を判断する（ｓ１０４）。
【００６３】
図１３に示すように、カードを挿入する利用者の撮像画像と、カードを抜き取る利用者の撮像画像と、は変化量が小さい。また、通帳を挿入する利用者の撮像画像と、通帳を抜き取る利用者の撮像画像と、は変化量が小さい。すなわち、利用者の動作が似ている状態の撮像画像は、その変化量が小さい。ｓ１０４では、未抽出の撮像画像毎に、直前に抽出した撮像画像との差分画像を生成し、変化量が最小である撮像画像を判断すればよい。画像管理装置２は、ｓ１０４で判断した変化量が最小である撮像画像を抽出し（ｓ１０５）、未抽出の撮像画像が残っているかどうかを判断する（ｓ１０６）。ｓ１０６で未抽出の撮像画像が残っていると判断すると、ｓ１０４に戻り、上述した処理を繰り返す。
【００６４】
画像管理装置２は、未抽出の撮像画像が無くなると、今回抽出した順番に並び替えた撮像画像を動画像とみなし、これを圧縮する（ｓ１０７）。ｓ１０７では、例えば、
（１）カードを挿入する利用者を撮像した撮像画像
（２）カードを抜き取る利用者を撮像した撮像画像
（３）通帳を挿入する利用者を撮像した撮像画像
（４）通帳を抜き取る利用者を撮像した撮像画像
（５）出金紙幣や出金硬貨を抜き取る利用者を撮像した撮像画像
の順番に並び替えられた５枚の撮像画像を、動画像とみなして圧縮する。ｓ１０７では、公知のＭＰＥＧ２等で動画像の圧縮を行う。画像管理装置２は、ｓ１０７で圧縮した動画像ファイルを記憶部２４に記憶する（ｓ１０８）。また、この動画像ファイルについては、自動取引処理装置１で行われた取引と関連づけるために、この動画像ファイルのファイル名を、自動取引処理装置１で行われた取引の識別コードとすればよい。また、ｓ１０８では、動画像ファイル毎に、各コマに対する利用者の状態（カード挿入時、カード抜取時等）を対応付けた管理テーブルを記憶部２４に設ける。
【００６５】
なお、動画像ファイルのファイル名を適当に付ける構成とし、動画像ファイルのファイル名と、自動取引処理装置１で行われた取引の識別コードと、を関連づけるテーブルを記憶部２４に設けてもよい。
【００６６】
このように、画像管理装置２は、取引処理時に撮像した利用者の撮像画像を、変化量が小さい順番に並び替え、これを動画像として圧縮するので、自動取引処理装置１で取引が処理されているときに撮像した利用者の撮像画像を、効率的に圧縮することができる。これにより、記憶部２４の記憶容量が抑えられる。また、取引処理時に撮像した利用者の撮像画像の一部を切り捨てることなく保存するので、撮像画像から得られる情報が欠落することもない。
【００６７】
また、取引処理時には、撮像タイミング毎に利用者の撮像画像を複数枚撮像し、この中から保存する撮像画像を選択する構成としているので、利用者が適正に撮像されている画像を略確実に保存することができる。
【００６８】
また、取引に使用されたカードの撮像画像については、一時的に取引の識別コードと関連づけて記憶部２４に記憶する。取引に使用されたカードの撮像画像を圧縮する処理は、予め定めたタイミングで行われる。
【００６９】
以下、取引に使用されたカードの撮像画像を圧縮する処理について説明する。取引に使用されるカードは、磁気カード（図１４（Ａ）参照）、ダブルストライプカード（図１４（Ｂ）参照）、ＩＣ付磁気カード（図１４（Ｃ）参照）等がある。また、カード表面に描かれているデザイン画も数種類ある。
【００７０】
図１５は、カードの撮像画像を圧縮する処理を示すフローチャートである。上述したように、記憶部２４には、取引毎に、その取引の識別コードに関連づけて、使用されたカードの撮像画像を記憶している。画像管理装置２は、記憶部２４に記憶しているカードの撮像画像を、カードの種類で分類する（ｓ１１１）。ｓ１１１では、図１４に示した磁気カード、ダブルストライプカード、ＩＣ付磁気カードによる分類だけでなく、カード表面に描かれているデザイン画による分類も行われる。画像管理装置２は、ｓ１１１で分類したいずれかのグループについて、そのグループに属するカードの撮像画像を画像メモリ２３ａに取り込む（ｓ１１２）。画像管理装置２は、ｓ１１２で取り込んだカードの撮像画像の中から代表画像を選択する（ｓ１１３）。ｓ１１３では、上述したｓ１０２と同様に、適当な撮像画像を代表画像として選択すればよい。画像管理装置２は、ｓ１１２で画像メモリ２３ａに取り込んだ撮像画像の中から、ｓ１１３で選択した代表画像を抽出する（ｓ１１４）。画像管理装置２は、ｓ１１２で画像メモリ２３ａに取り込んだ撮像画像であって、ｓ１１４または後述するｓ１１６で抽出されていない撮像画像（以下、未抽出の撮像画像と言う。）の中で、直前に抽出した撮像画像に対する変化量が最小である撮像画像を判断する（ｓ１１５）。ｓ１１４では、未抽出の撮像画像毎に、直前に抽出した撮像画像との差分画像を生成し、変化量が最小である撮像画像を判断すればよい。画像管理装置２は、ｓ１１５で判断した変化量が最小である撮像画像を抽出し（ｓ１１６）、未抽出の撮像画像が残っているかどうかを判断する（ｓ１１７）。ｓ１１７で未抽出の撮像画像が残っていると判断すると、ｓ１１５に戻り、上述した処理を繰り返す。画像管理装置２は、未抽出の撮像画像が無くなると、今回抽出した順番に並び替えた撮像画像を動画像とみなし、これを圧縮する（ｓ１１８）。これにより、ｓ１１１で分類した１つのグループの撮像画像について、動画像ファイルが生成される。
【００７１】
また、画像管理装置２は、この動画像ファイルのコマ毎に、カードが使用された取引の識別コードを関連づけた管理テーブルを作成する（ｓ１１９）。画像管理装置２は、ｓ１１８で生成した動画像ファイルと、この動画像ファイルについてｓ１１９で生成した管理テーブルと、を記憶部２４に記憶する（ｓ１２０）。
【００７２】
画像管理装置２は、ｓ１１１で分類したいずれかのグループの中に、動画像ファイルを生成していないグループがあれば（ｓ１２１）、ｓ１１２に戻って、上記処理を繰り返す。
【００７３】
したがって、取引に使用されたカードの撮像画像についても、上述した利用者の撮像画像と同様に、効率的に圧縮して保存することができる。
【００７４】
なお、上記の説明では、自動取引処理装置１に組み込まれ、自動取引処理装置１で取引する利用者の撮像画像や、取引に使用されたカードの撮像画像を、効率的に圧縮し、保存する画像管理装置２を例にして本願発明を説明したが、本願発明は、これに限定されることはなく、様々な装置に組み込むことができる。また、本願発明は、複数枚の静止画像を効率的に圧縮し保存する単体の装置であってもよい。
【図面の簡単な説明】
【００７５】
【図１】画像管理装置を組み込んだ自動取引処理装置の主要部の構成を示す図である。
【図２】自動取引処理装置の外観の概略図である
【図３】自動取引処理装置の動作を示すフローチャートである。
【図４】出金取引を示すフローチャートである。
【図５】カード受付処理を示すフローチャートである。
【図６】画像管理装置の動作を示すフローチャートである。
【図７】取引データ受付処理を示すフローチャートである。
【図８】出金処理を示すフローチャートである。
【図９】カード返却処理を示すフローチャートである。
【図１０】通帳返却処理を示すフローチャートである。
【図１１】明細票発行処理を示すフローチャートである。
【図１２】撮像画像圧縮処理を示すフローチャートである。
【図１３】利用者の撮像画像を示す模式図である。
【図１４】取引に使用されるカードを示す図である。
【図１５】カードの撮像画像を圧縮する処理を示すフローチャートである。
【符号の説明】
【００７６】
１−自動取引処理装置
２−画像管理装置
２１−制御部
２２−撮像部
２２ａ、２２ｂ−カメラ
２３−画像処理部
２３ａ−画像メモリ
２４−記憶部
２５−入出力インタフェース
【図１】
0005250235.tif 000002
【図２】
0005250235.tif 000003
【図３】
0005250235.tif 000004
【図４】
0005250235.tif 000005
【図５】
0005250235.tif 000006
【図６】
0005250235.tif 000007
【図７】
0005250235.tif 000008
【図８】
0005250235.tif 000009
【図９】
0005250235.tif 000010
【図１０】
0005250235.tif 000011
【図１１】
0005250235.tif 000012
【図１２】
0005250235.tif 000013
【図１３】
0005250235.tif 000014
【図１４】
0005250235.tif 000015
【図１５】
0005250235.tif 000016